(57)【要約】【課題】  インプラント内部孔、具体的にはインプラントを構成するフィクスチャーに設けられた内部孔を、前記フィクスチャー周囲の歯肉を傷付けることなく、簡便な操作により清浄な状態に保つための手段を提供すること。【解決手段】線材に対して垂直方向に樹脂繊維を多数平行に配置してから前記線材を捩ることにより前記線材周囲にらせん状ブラシ毛を成形した捩りブラシ部と、前記捩りブラシ部を固定した中間柱状部と、前記中間柱状部を固定した本体柱状部と、を備え、前記中間柱状部の長軸方向の長さが、前記捩りブラシ部の長軸方向の長さを１としたときに、０．８〜２．０の範囲にあることを特徴とする、インプラント内部清掃用ブラシ。【選択図】図２
2012063496.tif 000002
【特許請求の範囲】
【請求項１】
線材に対して垂直方向に樹脂繊維を多数平行に配置してから前記線材を捩ることにより前記線材周囲にらせん状ブラシ毛を成形した捩りブラシ部と、
中間柱状部と、
本体柱状部と、を備え、
前記捩りブラシ部に使用される線材が、前記中間柱状部の一方の端部に固定されることにより、前記捩りブラシ部と前記中間柱状部とが互いに固定され、
前記本体柱状部が、前記中間柱状部の他方の端部に固定され、
前記本体柱状部が、前記中間柱状部を固定した一方の端部とは反対側の他方の端部に回転機器取付部を有し、
前記中間柱状部の長軸中心線と、前記本体柱状部の長軸中心線とが一致し、
前記中間柱状部の長軸中心線方向を基準として、前記中間柱状部の長さが、前記捩りブラシ部の長さを１としたときに、０．８〜２．０の範囲にあることを特徴とする、インプラント内部清掃用ブラシ。
【請求項２】
前記中間柱状部の長軸中心線に垂直な面に対する長軸中心線方向からの前記中間柱状部の投影面が、前記中間柱状部の長軸中心線に垂直な面に対する長軸中心線方向からの前記捩りブラシ部の投影面の内部に収まり、
前記中間柱状部の長軸中心線に垂直な面に対する長軸中心線方向からの前記中間柱状部の投影面が、前記本体柱状部の長軸中心線方向に垂直な面に対する長軸中心線方向からの前記本体柱状部の投影面の内部に収まる、請求項１に記載のインプラント内部清掃用ブラシ。
【請求項３】
前記捩りブラシ部が、一本の線材を滑らかに曲げて折り返して得られた二本の線材平行部に樹脂繊維を多数平行に配置してから前記二本の線材平行部を捩ることにより、前記捩りブラシ部の先端部を滑らかな曲線状に成形すると共に前記線材周囲にらせん状ブラシ毛を成形してなる、請求項２に記載のインプラント内部清掃用ブラシ。
【請求項４】
前記本体柱状部の回転機器取付部が、前記本体柱状部の長軸方向に対して水平な面方向に設けられた切り欠き部と、前記本体柱状部の外周に設けられた溝部とを含む、請求項３に記載のインプラント内部清掃用ブラシ。
【請求項５】
前記捩りブラシ部の先端部が、前記中間柱状部の長軸中心線方向にブラシ毛を備えた、請求項４に記載のインプラント内部清掃用ブラシ。
【請求項６】
前記捩りブラシ部の線材、中間柱状部および本体柱状部からなる群より選ばれる少なくとも一つが、樹脂により被覆されている、請求項５に記載のインプラント内部清掃用ブラシ。
【請求項７】
前記捩りブラシ部の長軸方向の長さが８ｍｍ±３ｍｍ、前記中間柱状部の長軸方向の長さが９ｍｍ±３ｍｍ、および前記本体柱状部の長軸方向の長さが１７ｍｍ±５ｍｍであり、
ならびに前記中間柱状部の長軸方向に対して垂直方向の切断面に現れる最大径が１ｍｍ±０．３ｍｍ、および前記本体柱状部の長軸方向に対して垂直方向の切断面に現れる最大径が２．１ｍｍ±１ｍｍである、請求項６に記載のインプラント内部清掃用ブラシ。
【請求項８】
請求項４に記載のインプラント内部清掃用ブラシを回転機器に装着して前記インプラント内部清掃用ブラシを回転させながら、インプラントを構成するフィクスチャーに設けられた内部孔に、前記インプラント内部清掃用ブラシのらせん状ブラシ毛を成形した捩りブラシ部を挿入することによりインプラント内部を清掃する方法であって、
前記インプラント内部清掃用ブラシの回転速度が、１００〜１０００ｒｐｍの範囲内であり、
前記インプラント内部清掃用ブラシのらせん状ブラシ毛の回転方向が、前記内部孔の内部から外部へ前記内部孔の内容物を排出する方向であることを特徴とする、インプラント内部清掃方法。
【請求項９】
請求項５に記載のインプラント内部清掃用ブラシを回転機器に装着して前記インプラント内部清掃用ブラシを回転させながら、インプラントを構成するフィクスチャーに設けられた内部孔に、前記インプラント内部清掃用ブラシのらせん状ブラシ毛を成形した捩りブラシ部を挿入することによりインプラント内部を清掃する方法であって、
前記インプラント内部清掃用ブラシの回転速度が、１００〜１０００ｒｐｍの範囲内であり、
前記インプラント内部清掃用ブラシのらせん状ブラシ毛の回転方向が、前記内部孔の内部から外部へ前記内部孔の内容物を排出する方向であることを特徴とする、インプラント内部清掃方法。
【請求項１０】
請求項６に記載のインプラント内部清掃用ブラシを回転機器に装着して前記インプラント内部清掃用ブラシを回転させながら、インプラントを構成するフィクスチャーに設けられた内部孔に、前記インプラント内部清掃用ブラシのらせん状ブラシ毛を成形した捩りブラシ部を挿入することによりインプラント内部を清掃する方法であって、
前記インプラント内部清掃用ブラシの回転速度が、１００〜１０００ｒｐｍの範囲内であり、
前記インプラント内部清掃用ブラシのらせん状ブラシ毛の回転方向が、前記内部孔の内部から外部へ前記内部孔の内容物を排出する方向であることを特徴とする、インプラント内部清掃方法。
【発明の詳細な説明】
【技術分野】
【０００１】
本発明はインプラントの内部を清掃するためのブラシに関し、さらに詳しくは人工歯根として使用されるインプラントを構成するフィクスチャーの内部孔を清掃するためのブラシに関する。
【背景技術】
【０００２】
歯に関する問題を有する患者の中には虫歯や歯周病等のために歯を施術により除去したり、自然に失われたりする等の理由により、本来なら備わっているはずの歯が欠落している患者が存在する。
通常は全ての歯が揃うことにより個々の歯は隣の歯に支持されるためその機能を十分に発揮することができる。【０００３】
ところが本来なら備わっているはずの歯が一本でも欠落している場合には、欠落部位の両端に位置する歯の支持体が減少することから咀嚼の際に物を噛む力を十分発揮することができない。また歯の欠落により個々の歯間が広がった場合には食物残渣等が歯間に残りやすくなる結果、さらなる歯周病や虫歯の発生が進行する結果となる。
この様な歯の欠落に伴って発生する問題に対応する一つの方法として、欠落した歯があった部位にインプラントを植立する施術が広く採用されている。【０００４】
インプラントとは人工歯根の一種であり、通常は骨に埋設するためのフィクスチャーおよび前記フィクスチャーに接続されて支持台となるアバットメントから形成されている。前記アバットメントに人工歯を装着することにより欠落した歯の部分に人工歯を設置することができる。【０００５】
図８に参考のため従来のインプラントに使用されるフィクスチャーの模式斜視図を示す。
通常のインプラントの設置のための施術方法を説明すると次の通りである。
まず欠落した歯があった部位を覆う歯肉を剥離し、骨にドリル孔を開けてから前記ドリル孔に図８に示すフィクスチャー３００を埋設する。【０００６】
骨に前記フィクスチャー３００を設置した段階では患者の歯肉は傷付いて腫れているため、歯肉の状態が健康状態に戻るのを待ってから前記フィクスチャー３００上にアバットメントおよび人工歯を取り付ける。
前記フィクスチャー３００には内部孔３１０が設けられていて、この内部孔３１０にアバットメントを捩じ込むことにより、前記フィクスチャー３００にアバットメントを固定することができる。【０００７】
しかし前記フィクスチャー３００を骨に設置してから患者の歯肉の状態が安定するまでには一定の期間を要する。このため前記フィクスチャー３００の内部孔３１０に患者の骨片、歯肉片、血液等が残存したり、日常の食事等の際に発生する食物残渣等が前記フィクスチャー３００の内部孔３１０に溜ったりする可能性があった。【０００８】
前記フィクスチャー３００の内部孔３１０に骨片、歯肉片、血液等や食物残渣等が溜まる可能性を排除するためには、歯科医等の専門の術者が清掃を行うことにより前記内部孔３１０を清浄な状態に保つ等の対策が考えられる。【０００９】
しかしながらインプラントに使用される前記フィクスチャー３００の内部孔３１０は通常直径が３ｍｍ以下程度であり非常に狭く、インプラントの植立の手術時やフィーリングキャップおよびアバットメント装着時等に前記内部孔３１０を清浄な状態に保つには限界があった。【００１０】
この一方、前記内部孔３１０に最初から蓋がついたタイプの前記フィクスチャー３００を骨に埋設することも考えられる。
しかしながら直径が３ｍｍ以下程度の前記内部孔３１０に蓋を設けた場合、この蓋を外す作業が非常に煩雑であり施術に時間が掛る他、蓋を外す作業の際に前記フィクスチャー３００の周囲の患者の歯肉を傷つける可能性がある。【００１１】
また従来の歯の研磨に使用するマイクロモーターと呼ばれる高速回転機器に歯の研磨に使用する従来のブラシを装着して前記フィクスチャー３００の内部孔３１０を清掃する場合、前記フィクスチャー３００の内部孔３１０だけに従来のブラシを挿入することが非常に困難であり、やはり前記フィクスチャー３００の近傍にある患者の歯肉を傷つけてしまう可能性があった。【００１２】
この一方、歯間清掃を目的とした細径樹脂捩りブラシが提案されている。
しかしながらこの細径樹脂捩りブラシは軸材周囲にらせん状ブラシ毛を成形した捩りブラシであり、歯間部の口腔清掃等、歯の表面に対して垂直方向に使用することは可能であるが、歯の土台となる骨に対して上下方向、すなわち歯の表面に沿った上下方向に使用することは困難であった（特許文献１）。
そもそも前記細径樹脂捩りブラシに代表される歯間ブラシは歯の表面に対して垂直方向に使用するものであり、歯の表面に対して水平方向に使用するインプラント内部清掃用ブラシとは全く作用機構の異なるものであり、インプラント内部清掃用ブラシ開発の参考となるものではない。
【先行技術文献】
【特許文献】
【００１３】
【特許文献１】特許第３６１５７５２号公報
【発明の概要】
【発明が解決しようとする課題】
【００１４】
本発明の目的は、インプラント内部孔、具体的にはインプラントを構成するフィクスチャーに設けられた内部孔を、前記フィクスチャー周囲の歯肉を傷付けることなく、簡便な操作により清浄な状態に保つための手段を提供することにある。
【課題を解決するための手段】
【００１５】
上記課題を解決するために本発明者が鋭意検討した結果、線材周囲にらせん状ブラシ毛を成形した捩りブラシ部と、前記捩りブラシ部を固定した中間柱状部と、前記中間柱状部を固定した本体柱状部とを備えたインプラント内部清掃用ブラシが、本発明の目的に適うことを見出し、本発明を完成するに至った。【００１６】
すなわち本発明は、
［１］線材に対して垂直方向に樹脂繊維を多数平行に配置してから前記線材を捩ることにより前記線材周囲にらせん状ブラシ毛を成形した捩りブラシ部と、
中間柱状部と、
本体柱状部と、を備え、
前記捩りブラシ部に使用される線材が、前記中間柱状部の一方の端部に固定されることにより、前記捩りブラシ部と前記中間柱状部とが互いに固定され、
前記本体柱状部が、前記中間柱状部の他方の端部に固定され、
前記本体柱状部が、前記中間柱状部を固定した一方の端部とは反対側の他方の端部に回転機器取付部を有し、
前記中間柱状部の長軸中心線と、前記本体柱状部の長軸中心線とが一致し、
前記中間柱状部の長軸中心線方向を基準として、前記中間柱状部の長さが、前記捩りブラシ部の長さを１としたときに、０．８〜２．０の範囲にあることを特徴とする、インプラント内部清掃用ブラシを提供するものである。【００１７】
また本発明の一つは、
［２］前記中間柱状部の長軸中心線に垂直な面に対する長軸中心線方向からの前記中間柱状部の投影面が、前記中間柱状部の長軸中心線に垂直な面に対する長軸中心線方向からの前記捩りブラシ部の投影面の内部に収まり、
前記中間柱状部の長軸中心線に垂直な面に対する長軸中心線方向からの前記中間柱状部の投影面が、前記本体柱状部の長軸中心線方向に垂直な面に対する長軸中心線方向からの前記本体柱状部の投影面の内部に収まる、上記［１］に記載のインプラント内部清掃用ブラシを提供するものである。【００１８】
また本発明の一つは、
［３］前記捩りブラシ部が、一本の線材を滑らかに曲げて折り返して得られた二本の線材平行部に樹脂繊維を多数平行に配置してから前記二本の線材平行部を捩ることにより、前記捩りブラシ部の先端部を滑らかな曲線状に成形すると共に前記線材周囲にらせん状ブラシ毛を成形してなる、上記［１］または［２］に記載のインプラント内部清掃用ブラシを提供するものである。【００１９】
また本発明の一つは、
［４］前記本体柱状部の回転機器取付部が、前記本体柱状部の長軸方向に対して水平な面方向に設けられた切り欠き部と、前記本体柱状部の外周に設けられた溝部とを含む、上記［１］〜［３］のいずれかに記載のインプラント内部清掃用ブラシを提供するものである。【００２０】
また本発明の一つは、
［５］前記捩りブラシ部の先端部が、前記中間柱状部の長軸中心線方向にブラシ毛を備えた、上記［１］〜［４］のいずれかに記載のインプラント内部清掃用ブラシを提供するものである。【００２１】
また本発明の一つは、
［６］前記捩りブラシ部の線材、中間柱状部および本体柱状部からなる群より選ばれる少なくとも一つが、樹脂により被覆されている、上記［１］〜［５］のいずれかに記載のインプラント内部清掃用ブラシを提供するものである。【００２２】
また本発明の一つは、
［７］前記捩りブラシ部の長軸方向の長さが８ｍｍ±３ｍｍ、前記中間柱状部の長軸方向の長さが９ｍｍ±３ｍｍ、および前記本体柱状部の長軸方向の長さが１７ｍｍ±５ｍｍであり、
ならびに前記中間柱状部の長軸方向に対して垂直方向の切断面に現れる最大径が１ｍｍ±０．３ｍｍ、および前記本体柱状部の長軸方向に対して垂直方向の切断面に現れる最大径が２．１ｍｍ±１ｍｍである、上記［１］〜［６］のいずれかに記載のインプラント内部清掃用ブラシを提供するものである。【００２３】
また本発明は、
［８］上記［１］〜［７］のいずれかに記載のインプラント内部清掃用ブラシを回転機器に装着して前記インプラント内部清掃用ブラシを回転させながら、インプラントを構成するフィクスチャーに設けられた内部孔に、前記インプラント内部清掃用ブラシのらせん状ブラシ毛を成形した捩りブラシ部を挿入することによりインプラント内部を清掃する方法であって、
前記インプラント内部清掃用ブラシの回転速度が、１００〜１０００ｒｐｍの範囲内であり、
前記インプラント内部清掃用ブラシのらせん状ブラシ毛の回転方向が、前記内部孔の内部から外部へ前記内部孔の内容物を排出する方向であることを特徴とする、インプラント内部清掃方法を提供するものである。
【発明の効果】
【００２４】
本発明のインプラント内部清掃用ブラシはらせん状ブラシ毛を成形した捩りブラシ部を有する。このためインプラント内部、すなわちインプラントを構成するフィクスチャーに設けられた内部孔にらせん状ブラシ毛を挿入して一定方向に回転させることにより、らせん状ブラシ毛に付着した前記内部孔内部にある患者の骨片、歯肉片、血液等や、日常の食事等の際に発生する食物残渣等を前記インプラント内部清掃用ブラシの前記本体柱状部側に排出することが可能な構造を有する。これにより、インプラント内部を清掃することができる。【００２５】
また本発明のインプラント内部清掃用ブラシは、前記中間柱状部の長軸中心線と、前記本体柱状部の長軸中心線とが一致していることからインプラント内部清掃用ブラシを回転させたときにインプラント内部清掃用ブラシに振動が発生することを防止することができる。【００２６】
また前記中間柱状部の長軸中心線に垂直な面に対する長軸中心線方向からの前記中間柱状部の投影面は、前記中間柱状部の長軸中心線に垂直な面に対する長軸中心線方向からの前記捩りブラシ部の投影面の内部に収まり、
前記中間柱状部の長軸中心線に垂直な面に対する長軸中心線方向からの前記中間柱状部の投影面は、前記本体柱状部の長軸中心線方向に垂直な面に対する長軸中心線方向からの前記本体柱状部の投影面の内部に収まる。【００２７】
つまり、前記中間柱状部は前記らせん状ブラシ毛を成形した捩りブラシ部の最大外径以下の外径を有し、かつ前記本体柱状部の最大外径以下の外径を有する。
このためインプラントを構成するフィクスチャーに設けられた内部孔にらせん状ブラシ毛を挿入する際、前記らせん状ブラシ毛を成形した捩りブラシ部に対する視認性に優れるために、適確かつ容易にらせん状ブラシ毛を、インプラントを構成するフィクスチャーに設けられた内部孔に挿入することができることから取り扱い性に優れる。
加えて回転する前記中間柱状部が、インプラントを構成するフィクスチャー近傍の歯肉部に接触しにくい構成を有することから、インプラント内部清掃中にフィクスチャー近傍の歯肉部を傷めることがないという効果を発揮することができる。【００２８】
また本発明のインプラント内部清掃用ブラシは、前記中間柱状部の長軸中心線方向に前記捩りブラシ部の先端部に対してブラシ毛を設置することができる。このブラシ毛により、インプラントを構成するフィクスチャーに設けられた内部孔を清掃することができる。【００２９】
また本発明のインプラント内部清掃用ブラシは、前記捩りブラシ部の線材、中間柱状部および本体柱状部からなる群より選ばれる少なくとも一つに対して樹脂を被覆することができる。この被覆により、インプラントを構成するフィクスチャーとインプラント内部清掃用ブラシとが互いに異なる金属材料により形成されている場合であっても、金属材料のイオン化を防止することができ、不純物の発生を防止することができる。またインプラントを構成するフィクスチャーおよびインプラント内部清掃用ブラシの腐食を防止することができる。
またインプラントの植立の手術後に、インプラント内部のネジの緩み、インプラントの破折等の予後不良を防止することができる。
【図面の簡単な説明】
【００３０】
【図１】図１は本発明のインプラント内部清掃用ブラシを例示した模式正面図である。
【図２】図２は本発明のインプラント内部清掃用ブラシを例示した模式斜視図である。
【図３】図３は線材周囲にらせん状ブラシ毛を成形した捩りブラシ部を形成する工程を説明するための模式図である。
【図４】図４は線材周囲にらせん状ブラシ毛を成形した捩りブラシ部を形成する工程を説明するための模式図である。
【図５】図５は線材周囲にらせん状ブラシ毛を成形した捩りブラシ部を形成する工程を説明するための模式図である。
【図６】図６は、図４の矢印Ａと同じ方向から本発明のインプラント内部清掃用ブラシを観察した状態を例示した模式正面図である。
【図７】図７は、は実施例１により得られたインプラント内部清掃用ブラシを回転機器に装着した状態を説明するための模式斜視図である。
【図８】図８は従来のインプラントに使用されるフィクスチャーの模式斜視図である。
【図９】図９は捩りブラシ部の先端部にらせん状ブラシ毛を成形した捩りブラシ部を形成する工程を説明するための模式図である。
【図１０】図１０は捩りブラシ部の先端部にらせん状ブラシ毛を成形した捩りブラシ部を形成する工程を説明するための模式図である。
【図１１】図１１は捩りブラシ部の先端部にらせん状ブラシ毛を成形した捩りブラシ部を形成する工程を説明するための模式図である。
【図１２】図１２は捩りブラシ部の先端部にらせん状ブラシ毛を成形した捩りブラシ部を形成する工程を説明するための模式図である。
【図１３】図１３は捩りブラシ部の先端部にらせん状ブラシ毛を成形した捩りブラシ部を形成する工程を説明するための模式図である。
【発明を実施するための形態】
【００３１】
以下に実施例により本発明の実施形態について図面を参照しつつ詳細に説明する。なお本発明は下記の実施例に限定されるものではない。
【実施例１】
【００３２】
図１は、本発明のインプラント内部清掃用ブラシを例示した模式正面図である。また図２は本発明のインプラント内部清掃用ブラシを例示した模式斜視図である。
本発明のインプラント内部清掃用ブラシ１００は、線材周囲にらせん状ブラシ毛を成形した捩りブラシ部１０を備える。
また本発明のインプラント内部清掃用ブラシ１００は、前記捩りブラシ部１０を固定した中間柱状部２０と、前記中間柱状部を固定した本体柱状部３０とを備えるものである。
前記本体柱状部３０は、前記中間柱状部２０を固定した端部とは反対側の端部に回転機器取付部４０を有する。この回転機器取付部４０を回転機器（図示せず）にはめ込み固定することにより、前記インプラント内部清掃用ブラシ１００を回転させて使用することができる。【００３３】
図２〜図５は、線材周囲にらせん状ブラシ毛を成形した捩りブラシ部１０を形成する工程を説明するための模式図である。
図３に例示される中間柱状部２０と本体柱状部３０は、ステンレス、チタン等の金属等から形成される。なお金属等の素材に代えて、あるいは金属等の素材と共にセラミック等の無機材料、スーパーエンジニアプラスチック等の有機材料等も使用することができる。
図３に例示される中間柱状部２０と本体柱状部３０とは、金属棒等を回転させながら切削等することにより形成することができる。また前記本体柱状部３０の回転機器取付部４０も同様に、前記本体柱状部３０を回転させながら切削等し、グラインダー等の切削研磨器具を用いて切削することによって得ることができる。
また予め型を形成しておき、その型の内部に溶融させた金属等を注入して冷却した後、型を外すことによっても同様の形状を形成することが可能である。【００３４】
次に図４に例示される様に、一本の線材１を中央部で滑らかに曲げて折り返して得られた両端部１ａ，１ｂを前記中間柱状部２０の一端に固定する。前記線材１はステンレス等の金属等から形成されている。
また前記線材１の両端部１ａ，１ｂを前記中間柱状部２０の一端に固定する方法としては、例えば溶接等の方法が挙げられる。具体的には前記線材の両端部１ａ，１ｂならびに前記中間柱状部２０のそれぞれに高電圧を掛けておき、両者を接触させ溶融させて連結する方法等が挙げられる。【００３５】
前記線材の両端部１ａ，１ｂを前記中間柱状部２０に固定する際には、予め前記中間柱状部２０の一端に挿入孔を設けておき、この挿入孔に前記線材の両端部１ａ，１ｂを挿入してから溶接等の方法により連結することも可能である。【００３６】
次に図５に例示される様に、一本の線材１を中央部で滑らかに曲げて折り返して得られた二本の線材平行部に樹脂繊維２を多数平行に配置する。
本発明に使用する樹脂繊維２に特に限定はないが、例えば、ポリエチレン、ポリプロピレン、ポリエステル等の可撓性のある合成繊維等が挙げられる。
次に図２に例示される様に、一本の線材１を中央部で滑らかに曲げて折り返して得られた二本の線材平行部を捩ることにより、捩りブラシ部１０の先端部３を滑らかな曲線状に成形することができ、前記線材周囲にらせん状ブラシ毛を成形することができる。【００３７】
本発明に使用する捩りブラシ部１０の先端部３は滑らかな曲線状の形状を有していて、鋭角に折り返された部分を有しないため、前記捩りブラシ部１０を回転させた際に前記捩りブラシ部１０の鋭角部に応力が掛って前記線材１が破断を起こす等の事故を防止することができる。【００３８】
また回転する前記捩りブラシ部１０の先端部３が誤って口腔内の歯肉等に触れた場合でも前記捩りブラシ部１０の先端部３は滑らかな曲線状の形状を有していていることから口腔内の歯肉等を傷つけることがない。
口腔内の歯肉等を傷つけると出血するが、この出血を防ぐことができることから出血等によるインプラント内部の汚染を防ぐことができる。【００３９】
なお図２〜図５では一本の線材１を使用する場合について説明したが、本発明においては二以上の線材１を使用することも可能である。【００４０】
図６は、図４の矢印Ａの方向と同じ方向から本発明のインプラント内部清掃用ブラシ１００を観察した状態を例示した模式正面図である。
図６では前記捩りブラシ部１０だけが観察され、前記中間柱状部２０を観察することができない。
これは前記中間柱状部２０の長軸中心線（図４の矢印Ａの方向）に垂直な面に対する長軸中心線方向からの前記中間柱状部２０の投影面が、前記中間柱状部２０の長軸中心線に垂直な面に対するの長軸中心線からの前記捩りブラシ部１０の投影面の内部に収まっているためである。【００４１】
この様に前記中間柱状部２０の長軸中心線に垂直な面による断面積は、前記中間柱状部２０の長軸中心線に垂直な面による前記捩りブラシ部１０の断面積の面積以下の大きさであるため、前記捩りブラシ部１０を、インプラントを構成するフィクスチャーに設けられた内部孔に回転させながら挿入した際に、回転する前記中間柱状部２０が、フィクスチャー近傍の歯肉部に接触することがなく、インプラントを構成するフィクスチャーに設けられた内部孔の清掃中にフィクスチャー近傍の歯肉部を傷めることがない。【００４２】
また本発明に使用する前記中間柱状部２０の長軸方向の長さは、前記捩りブラシ部１０の長軸方向の長さを１としたときに、０．８〜２．０の範囲である。つまり本発明のインプラント内部清掃用ブラシ１００は、前記捩りブラシ部１０と比較して、インプラントを構成するフィクスチャーに設けられた内部孔を清掃するために十分な長さの前記中間柱状部２０を備えている。【００４３】
このためインプラントを構成するフィクスチャーに設けられた内部孔を清掃する際に、回転するインプラント内部清掃用ブラシ１００の前記本体柱状部３０がフィクスチャー近傍の歯肉部に接触することがなく、インプラントを構成するフィクスチャーに設けられた内部孔の清掃中にフィクスチャー近傍の歯肉部を傷めることがない。【００４４】
また本発明においては、前記中間柱状部２０の長軸中心線に垂直な面に対する長軸中心線方向からの前記中間柱状部２０の投影面は、前記本体柱状部３０の長軸中心線に垂直な面に対する長軸中心線方向からの前記本体柱状部３０の投影面の内部に収まる。【００４５】
このため前記本体柱状部３０の長軸中心線に垂直な面による最大断面積は、前記中間柱状部２０の長軸中心線方向に垂直な面による断面積以上あるため、本発明のインプラント内部清掃用ブラシ１００全体として十分な強度を保持することができる。また本発明のインプラント内部清掃用ブラシ１００を回転機器に取り付ける際にも十分な固定強度を発揮することができる。【００４６】
加えて、前記中間柱状部２０が存在するために前記本体柱状部３０により前記捩りブラシ部１０が覆われて視認性が悪くなることはなく、外部から前記捩りブラシ部１０を容易に観察することができるため、インプラント内部清掃の作業性に優れる。【００４７】
なお、本発明に使用する前記中間柱状部２０と前記本体柱状部３０とはそれぞれ多角柱等の形状であってもよいが、回転させた本発明のインプラント内部清掃用ブラシ１００が、口腔内の他の歯や歯肉等に触れた際の損傷を防止する観点から円柱形状であることが好ましい。【００４８】
なお本発明における前記中間柱状部の長軸中心線とは、前記中間柱状部の長軸方向の重心線のことを意味し、前記本体柱状部の長軸中心線とは、前記本体柱状部のうち、回転機器取付部を除く長軸方向の重心線のことを意味する。【００４９】
前記本体柱状部３０のうち回転機器取付部４０を除く理由は、前記回転機器取付部４０は前記本体柱状部３０の長軸方向と平行な面により一部切り取られている部分があるため、前記本体柱状部３０のうち前記回転機器取付部４０がある部分と、前記回転機器取付部４０がない部分では重心線の位置が異なるためである。【００５０】
さらに本発明のインプラント内部清掃用ブラシ１００を回転させたときの振動防止のため、前記捩りブラシ部１０の長軸方向の重心線、前記中間柱状部２０の長軸方向の重心線および前記本体柱状部３０のうち回転機器取付部４０を除く長軸方向の重心線はそれぞれ一致していることが好ましい。【００５１】
次に本発明のインプラント内部清掃用ブラシ１００の大きさについて説明する。
前記中間柱状部２０の長軸中心線方向に対して垂直方向の切断面を基準として、前記捩りブラシ部１０の最大径は、前記本体柱状部３０の最大径を１としたときに、０．７〜１．５の範囲にあることが好ましく、０．８〜１．３の範囲にあることがより好ましく、０．９〜１．１の範囲にあることがさらに好ましい。
同様に前記中間柱状部２０の長軸中心線方向に対して垂直方向の切断面を基準として、前記中間柱状部２０の最大径は、前記本体柱状部３０の最大径を１としたときに、０．９〜０．１の範囲にあることが好ましく、０．８〜０．２の範囲にあることがより好ましく、０．７〜０．４の範囲にあることがさらに好ましい。【００５２】
前記中間柱状部２０の長さは、先に説明した通り前記捩りブラシ部１０の長さを１としたときに、０．８〜２．０の範囲内である。
ここで前記捩りブラシ部１０の長さとは、前記中間柱状部２０の長軸中心線を基準として、前記捩りブラシ部１０が設置されている側の前記中間柱状部２０の一端から、前記捩りブラシ部１０の先端までの長さを意味する。以下の場合も同様である。【００５３】
本発明のインプラント内部清掃用ブラシ１００は前記捩りブラシ部１０の長軸方向の長さが８ｍｍ±３ｍｍ、前記中間柱状部２０の長軸方向の長さが９ｍｍ±３ｍｍ、および前記本体柱状部３０の長軸方向の長さが１７ｍｍ±５ｍｍであることが好ましい。【００５４】
また前記中間柱状部２０の長軸中心線方向に対して垂直方向の切断面に現れる前記中間柱状部２０の最大径が１ｍｍ±０．３ｍｍ、および前記本体柱状部３０の長軸中心線方向に対して垂直方向の切断面に現れる前記本体柱状部３０の最大径が２．１ｍｍ±１ｍｍである場合に、最も作業性に優れることが本発明者の検討により判明した。【００５５】
本発明においては、前記捩りブラシ部１０の線材１、中間柱状部２０および本体柱状部３０からなる群より選ばれる少なくとも一つは樹脂により被覆されていることが好ましい。
前記被覆に使用する樹脂としては、例えば、ポリエチレン、ポリプロピレン等のポリオレフィン樹脂、ポリエチレンテレフタレート、ポリブチレンテレフタレート等のポリエステル樹脂、ポリ四フッ化エチレン等のポリフッ素樹脂等が挙げられる。【００５６】
なお本発明のインプラント内部清掃用ブラシ１００の形状や大きさは実際に使用するインプラントの形状や大きさに併せて適宜変更して選択することができることはいうまでもない。
【実施例２】
【００５７】
次に本発明のインプラント内部清掃用ブラシ１００を使用したインプラント内部清掃方法について説明する。
図７は、実施例１により得られたインプラント内部清掃用ブラシ１００を回転機器５００に装着した状態を説明するための模式斜視図である。
先の図１に示した通り、本発明のインプラント内部清掃用ブラシ１００は前記本体柱状部３０に回転機器取付部４０を有する。
前記回転機器取付部４０は、前記本体柱状部２０の長軸方向に対して水平な面方向に設けられた切り欠き部４１と、前記本体柱状部の外周に設けられた溝部４２とを含む。【００５８】
図７に示した様に、前記回転機器取付部４０を回転機器５００に取り付けることにより、前記インプラント内部清掃用ブラシ１００を回転機器５００に固定することができる。【００５９】
次に前記回転機器５００により前記インプラント内部清掃用ブラシ１００の前記捩りブラシ部１０を、インプラント内部、すなわちインプラントを構成するフィクスチャーに設けられた内部孔に回転させながら挿入する。
なお前記インプラント内部清掃用ブラシ１００の回転速度は、１００〜１０００ｒｐｍの範囲が好ましく、２００〜９００ｒｐｍの範囲がより好ましく、４００〜８００ｒｐｍの範囲であればさらに好ましい。
前記インプラント内部清掃用ブラシ１００の回転速度が１００ｒｐｍ未満の場合には、インプラント内部の清掃効率が低く、また１０００ｒｐｍを超える場合には、インプラントを構成するフィクスチャー近傍の歯肉を傷付ける可能性がある。【００６０】
前記インプラント内部清掃用ブラシ１００の回転方向は、前記捩りブラシ１０のらせん形状により決定される。
本発明に使用する前記捩りブラシ１０はらせん形状を有する。
図６において、正面から前記捩りブラシ１０を見た場合、らせん形状が左回りに形成されているときには、正面から見て左方向に前記捩りブラシ１０を回転させると、前記捩りブラシ１０のらせん状ブラシに付着した患者の骨片、歯肉片、血液等や、日常の食事等の際に発生する食物残渣等の付着物は前記捩りブラシ１０の先端方向とは反対側、すなわち前記中間柱状部２０側に排出される。【００６１】
実際には拡大鏡等を利用して、実際に前記捩りブラシ１０のらせん形状が左回りに形成されているか、右回りに形成されているかを確認し、前記インプラント内部清掃用ブラシ１００の前記捩りブラシ１０をインプラント内部、すなわちフィクスチャーの内部孔に回転させながら挿入した際にインプラント内部の食べかす等の付着物が外部に排出される方向に回転方向を調節してから実際の清掃を行う。【００６２】
上記に説明した通り、本発明のインプラント内部清掃用ブラシ１００を用いて簡便かつ安全にインプラント内部の清掃を実施することが可能となる。
【実施例３】
【００６３】
実施例３に係るインプラント内部清掃用ブラシ２００は、実施例１に係るインプラント内部清掃用ブラシ１００の変形例である。
実施例１に係るインプラント内部清掃用ブラシ１００は、前記捩りブラシ部１０の先端部３に、前記中間柱状部２０の長軸中心線方向にブラシ毛が設置されていない。これに対し、実施例３に係るインプラント内部清掃用ブラシ２００は、前記捩りブラシ部の先端部に、前記中間柱状部２０の長軸中心線方向にブラシ毛が設置されている点が異なる。この点以外は実施例３に係るインプラント内部清掃用ブラシ２００は実施例１に係るインプラント内部清掃用ブラシ１００の場合と同様である。【００６４】
図９〜図１３は、捩りブラシ部の先端部にらせん状ブラシ毛を成形した捩りブラシ部１０を形成する工程を説明するための模式図である。
図９に示される様に、捩りブラシ部の線材１を捩り、捩りブラシ部の先端に環状部４を形成する。
次に図１０に示される様に、先の実施例１の場合で図５に示した工程と同様に、一本の線材１による二本の線材平行部に樹脂繊維２を多数平行に配置する。
次に図１１に示される様に、一本の線材１を折り返して得られた二本の線材平行部を捩ることにより、前記線材１の周囲にらせん状ブラシ毛を成形することができる。
次に図１２に示される様に、捩りブラシ部の先端の環状部４に多数の樹脂繊維１１を通す。この多数の樹脂繊維１１を中間柱状部２０の長軸中心線方向に折り曲げる。
折り曲げられた多数の樹脂繊維１１の周囲を樹脂繊維により縛る方法、折り曲げられた多数の樹脂繊維１１の周囲を樹脂テープにより固定する方法等により、図１３に示した前記捩りブラシ部の先端部にブラシ毛を形成することができる。
図１３では、樹脂繊維１１が前記樹脂繊維５により縛られている。
実施例２に係るインプラント内部清掃用ブラシ２００は、前記捩りブラシ部の先端部にブラシ毛である多数の樹脂繊維１１を有することから、前記中間柱状部の長軸中心線方向に前記捩りブラシ部の先端部に対してブラシ毛を設置することができる。このブラシ毛により、インプラントを構成するフィクスチャーに設けられた内部孔を清掃することができる。
【産業上の利用可能性】
【００６５】
これまでインプラントを構成するフィクスチャーに設けられた内部孔を清掃することは困難であったが、本発明のインプラント内部清掃用ブラシを使用することにより、インプラントを構成するフィクスチャーに設けられた内部孔を清掃することが簡単にできる。
【符号の説明】
【００６６】
１      線材
１ａ，１ｂ    線材の両端部
２，５，１１    樹脂繊維
３      捩りブラシ部の先端部
４      環状部
１０    捩りブラシ部
２０    中間柱状部
３０    本体柱状部
４０    回転機器取付部
４１    切り欠き部
４２    溝部
１００，２００    インプラント内部清掃用ブラシ
３００    フィクスチャー
３１０    インプラントを構成するふぃクスチャーに設けられた内部孔
５００    回転機器
Ａ        長軸中心線方向
【図１】
2012063496.tif 000003
【図２】
2012063496.tif 000004
【図３】
2012063496.tif 000005
【図４】
2012063496.tif 000006
【図５】
2012063496.tif 000007
【図６】
2012063496.tif 000008
【図７】
2012063496.tif 000009
【図８】
2012063496.tif 000010
【図９】
2012063496.tif 000011
【図１０】
2012063496.tif 000012
【図１１】
2012063496.tif 000013
【図１２】
2012063496.tif 000014
【図１３】
2012063496.tif 000015
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
線材に対して垂直方向に樹脂繊維を多数平行に配置してから前記線材を捩ることにより前記線材周囲にらせん状ブラシ毛を成形した捩りブラシ部と、
中間柱状部と、
本体柱状部と、を備え、
前記捩りブラシ部に使用される線材が、前記中間柱状部の一方の端部に固定されることにより、前記捩りブラシ部と前記中間柱状部とが互いに固定され、
前記本体柱状部が、前記中間柱状部の他方の端部に固定され、
前記本体柱状部が、前記中間柱状部を固定した一方の端部とは反対側の他方の端部に回転機器取付部を有し、
前記中間柱状部の長軸中心線と、前記本体柱状部の長軸中心線とが一致し、
前記中間柱状部の長軸中心線方向を基準として、前記中間柱状部の長さが、前記捩りブラシ部の長さを１としたときに、０．８〜２．０の範囲にあることを特徴とする、インプラント内部清掃用ブラシ。
【請求項２】
前記中間柱状部の長軸中心線に垂直な面に対する長軸中心線方向からの前記中間柱状部の投影面が、前記中間柱状部の長軸中心線に垂直な面に対する長軸中心線方向からの前記捩りブラシ部の投影面の内部に収まり、
前記中間柱状部の長軸中心線に垂直な面に対する長軸中心線方向からの前記中間柱状部の投影面が、前記本体柱状部の長軸中心線方向に垂直な面に対する長軸中心線方向からの前記本体柱状部の投影面の内部に収まる、請求項１に記載のインプラント内部清掃用ブラシ。
【請求項３】
前記捩りブラシ部が、一本の線材を滑らかに曲げて折り返して得られた二本の線材平行部に樹脂繊維を多数平行に配置してから前記二本の線材平行部を捩ることにより、前記捩りブラシ部の先端部を滑らかな曲線状に成形すると共に前記線材周囲にらせん状ブラシ毛を成形してなる、請求項２に記載のインプラント内部清掃用ブラシ。
【請求項４】
前記本体柱状部の回転機器取付部が、前記本体柱状部の長軸方向に対して水平な面方向に設けられた切り欠き部と、前記本体柱状部の外周に設けられた溝部とを含む、請求項３に記載のインプラント内部清掃用ブラシ。
【請求項５】
前記捩りブラシ部の先端部が、前記中間柱状部の長軸中心線方向にブラシ毛を備えた、請求項４に記載のインプラント内部清掃用ブラシ。
【請求項６】
前記捩りブラシ部の線材、中間柱状部および本体柱状部からなる群より選ばれる少なくとも一つが、樹脂により被覆されている、請求項５に記載のインプラント内部清掃用ブラシ。
【請求項７】
前記捩りブラシ部の長軸方向の長さが８ｍｍ±３ｍｍ、前記中間柱状部の長軸方向の長さが９ｍｍ±３ｍｍ、および前記本体柱状部の長軸方向の長さが１７ｍｍ±５ｍｍであり、
ならびに前記中間柱状部の長軸方向に対して垂直方向の切断面に現れる最大径が１ｍｍ±０．３ｍｍ、および前記本体柱状部の長軸方向に対して垂直方向の切断面に現れる最大径が２．１ｍｍ±１ｍｍである、請求項６に記載のインプラント内部清掃用ブラシ。
【手続補正２】
【補正対象書類名】明細書
【補正対象項目名】００２３
【補正方法】削除
【補正の内容】
【国際調査報告】
2012063496.tif 000016
2012063496.tif 000017
2012063496.tif 000018
2012063496.tif 000019
2012063496.tif 000020
2012063496.tif 000021
2012063496.tif 000022